(57)【要約】【課題】外部設定器が主制御装置に着脱可能であり、伝送線を介さずに各種データの設定が行える照明制御システムを提供する。【解決手段】照明制御システム１は、外部設定器３が着脱可能であり、外部設定器３により設定されたアドレスおよび各種データが入力される接続部１１を主制御装置２に設けている。【選択図】図１
2004127629.tif 000002
【特許請求の範囲】
【請求項１】
伝送線を介して複数の監視端末器および複数の制御端末器を接続している主制御装置と；
監視端末器および制御端末器のアドレスの設定、制御端末器の点灯パターンの割付データおよび制御データを含む各種データの設定を行う外部設定器と；
主制御装置に設けられ、外部設定器が着脱可能であり、外部設定器により設定されたアドレスおよび各種データが入力される接続部と；
主制御装置に設けられ、外部設定器で設定されたアドレスおよび各種データを記憶する不揮発性メモリと；
主制御装置に設けられ、不揮発性メモリより制御データを読み出して伝送線を介して制御端末器に伝送し、制御端末器を点灯制御する制御部と；
を具備していることを特徴とする照明制御システム。
【発明の詳細な説明】
【０００１】
【発明の属する技術分野】本発明は、外部設定器により各種データの設定が行える照明制御システムに関する。
【０００２】
【従来の技術】この種の照明制御システムは、監視端末器または制御端末器に設けられたジャックに外部設定器を接続して各種データ等の設定を行っている（例えば、特許文献１または特許文献２参照。）。また、外部設定器をコンセント等により伝送線に接続して各種データ等の設定を行っている（例えば、特許文献３参照。）。また、主制御装置（中央制御装置）から制御データ等の設定を行っている（例えば、特許文献４参照。）。
【０００３】
図６に、特許文献４の照明制御システムの構成を示す。この照明制御システム５０は、主操作制御装置５１に送信機５２および受信機５３が設けられ、送信機５２から各昇降照明負荷器具５４および各姿勢制御端末内蔵器具５５を部分的に制御するための設定や、これらが具備する照明器具５６を部分的に点消灯（点灯パターン制御）するための設定が行えるものである。送信機５２は、外部設定器であり、送信機５２および受信機５３により設定器が構成されていると言える。
【０００４】
【特許文献１】特開２０００−５０３６７号公報（第３頁、第１図）
【０００５】
【特許文献２】特開平２−２１６７９２号公報（第３〜４頁、第１図）
【０００６】
【特許文献３】特開２００２−７５６６５号公報（第３頁、第１図）
【０００７】
【特許文献４】特開２０００−２８６０６５号公報（第３頁、第１図）
【０００８】
【発明が解決しようとする課題】特許文献１〜特許文献３は、外部設定器で設定した各種データ等を伝送線により主制御装置内の不揮発性メモリに伝送するので、そのデータの伝送されている間は、伝送線の伝送容量がフル状態となり、監視端末器等による照明制御に支障をきたす場合があった。また、通常、主制御装置を収納している主制御盤は、リレー等の制御機器など、多くの電気機器を収納するので、特許文献４のように、専用の設定器を具備すると、主制御盤が大型化するとともに、高価になるという欠点を有する。
【０００９】
本発明は、外部設定器が主制御装置に着脱可能であり、伝送線を介さずに各種データの設定が行える照明制御システムを提供することを目的とする。
【００１０】
【課題を解決するための手段】請求項１に記載の照明制御システムの発明は、伝送線を介して複数の監視端末器および複数の制御端末器を接続している主制御装置と；監視端末器および制御端末器のアドレスの設定、制御端末器の点灯パターンの割付データおよび制御データを含む各種データの設定を行う外部設定器と；主制御装置に設けられ、外部設定器が着脱可能であり、外部設定器により設定されたアドレスおよび各種データが入力される接続部と；主制御装置に設けられ、外部設定器で設定されたアドレスおよび各種データを記憶する不揮発性メモリと；主制御装置に設けられ、不揮発性メモリより制御データを読み出して伝送線を介して制御端末器に伝送し、制御端末器を点灯制御する制御部と；を具備していることを特徴とする。
【００１１】
伝送線は、主制御装置と監視端末器および制御端末器との間を接続するものであり、主制御装置は、この伝送線に接続された監視端末器および制御端末器を監視制御するものである。
【００１２】
監視端末器は、例えば、オンオフスイッチやセンサ入力用端末器等を備えたものであり、また、制御端末器は接続された照明用ランプを点灯制御するものまたは制御用の信号を送出するものである。また、監視端末器および制御端末器は、それぞれ調光制御機能を備えた調光用監視端末器および調光用制御端末器であってもよい。
【００１３】
主制御装置は、外部設定器が着脱可能に接続される接続部を有するように構成される。また、監視端末器または制御端末器は、外部設定器を接続するジャックが設けられていてもよい。ここで、「外部設定器が着脱可能」とは、外部設定器の本体のみならず、外部設定器に接続されるケーブルが着脱可能であることを包含する。
【００１４】
外部設定器は、複数の監視端末器および複数の制御端末器のそれぞれのアドレスの設定が行えるとともに、例えば、制御端末器の点灯パターンの割付データの設定が行える。そして、この設定したアドレスや割付データは、主制御装置に設けられている不揮発性メモリに記憶される。ここで、点灯パターンとは、主制御装置に接続されている制御端末器に従属している照明用ランプに対して、例えば、全点灯、全消灯、調光点灯あるいは半点灯、または、制御端末器をグループ化して、同様にグループ毎に点灯、消灯、調光点灯、半点灯などをさせる照明動作の状態を意味する。ここでの半点灯とは、照明が点灯している状態と消灯している状態が混在している状態をいう。
【００１５】
また、外部設定器は、監視端末器による制御端末器の制御データとして、例えば、オンオフや調光などの割付データも設定するものであり、設定された制御データを主制御装置の不揮発性メモリに記憶させるものである。制御データは、例えば、グループ制御に用いられ、制御端末器を特定した割付データを包含している。ここでのグループ制御とは、制御端末器をグループ化し、そのグループ毎に一括して点灯パターンを制御することを意味する。
【００１６】
制御部は、プログラムや監視端末器から送出された制御データに対応付けられた割付データを不揮発性メモリから読み出し、割付データに基づいて制御端末器を制御するものである。
【００１７】
本発明によれば、外部設定器は、主制御装置に設けられた接続部に接続され、伝送線を使用せずに監視端末器および制御端末器のアドレスや各種データの設定が行えるので、監視端末器等による照明制御に支障をきたすことが防止される。
【００１８】
【発明の実施の形態】以下、本発明の一実施の形態について、図面を参照して説明する。図１は、本発明の一実施の形態を示す照明制御システムの構成のブロック図、図２は、同じく主制御装置の構成を示すブロック図、図３は、同じく主制御装置の概略正面図、図４は、同じく外部設定器の概略構成図、図５は、同じく外部設定器による設定データを示し、（ａ）は点灯制御の割付図、（ｂ）はグループの割付図である。
【００１９】
図１において、１は照明制御システム、２は主制御装置、３は外部設定器、４は監視端末器、５は制御端末器である。
【００２０】
照明制御システム１は、システム全体を統括管理する主制御装置２を有しており、この主制御装置２は、例えば照明ゾーン毎に一台設置され、伝送線６を介して複数の監視端末器４および複数の制御端末器５を接続している。
【００２１】
主制御装置２は、図２に示すように、電源部７、制御部８、不揮発性メモリ９、伝送インターフェース（Ｉ／Ｆ）部１０および接続部１１などから構成されている。
【００２２】
電源部７は、図示しない外部電源から入力され、制御部８などに電源を供給して動作させる。不揮発性メモリ９は、監視端末器４および制御端末器５のアドレス、制御端末器５の点灯パターンの割付データおよび監視端末器４に対する制御端末器５の割付データなどの各種データが記憶される。
【００２３】
伝送インターフェース（Ｉ／Ｆ）部１０は、伝送線６に接続され、監視端末器４等からの制御データや外部設定器３からの設定データや制御データなどが入力され、また、制御端末器５を点灯制御させる制御データなどの出力を行うように構成されている。
【００２４】
制御部８はマイコン等で構成され、伝送インターフェース（Ｉ／Ｆ）部１０に例えば監視端末器４から点灯パターンの制御データが入力されると、この制御データに応じて、不揮発性メモリ９に記憶されている制御端末器５の点灯パターンの割付データを読み出して伝送インターフェース（Ｉ／Ｆ）部１０に送出するものである。
【００２５】
接続部１１は、外部設定器３が専用に接続され、外部設定器３により設定されたアドレスおよび各種データ等が入力される。そして、接続部１１は、制御部８に接続されており、外部設定器３で設定されたアドレスおよび各種データ等は、制御部８を介して不揮発性メモリ９に記憶されるように構成されている。
【００２６】
そして、接続部１１は、図３に示すように、主制御装置２の前面に露出しているコネクタ（雌コネクタ）１２に電気接続されており、このコネクタ１２に外部設定器３が着脱される。すなわち、接続部１１は、外部設定器３が着脱可能に接続される。
【００２７】
また、主制御装置２の前面には、電源端子１３，１３およびアース端子Ｅ、さらに伝送端子１４，１４が設けられており、電源端子１３，１３は電源部７および図示しない外部電源に電気接続され、伝送端子１４，１４は伝送インターフェース（Ｉ／Ｆ）部１０および伝送線６に電気接続されている。このようにして、主制御装置２が形成されている。
【００２８】
そして、外部設定器３は、図４に示すように、操作入力部１５、表示部１６および出力部１７を有して構成されている。出力部１７には図示しないケーブルが接続され、このケーブルが主制御装置２の接続部１１（コネクタ１２）に接続される。そして、操作入力部１５の各操作ボタンを操作して、監視端末器４および制御端末器５のアドレスまたは制御端末器５の点灯パターンの割付データおよび制御データを含む各種データ等を表示部１６に表示させ、送信ボタンの送信操作により、アドレスや各種データ等が設定され、主制御装置２の不揮発性メモリ９に記憶させることができる。
【００２９】
図５は、外部設定器３による設定の一例を示している。すなわち、図５（ａ）は、毎水曜日におけるグループ毎における照明用ランプ１８の点消灯の時刻を設定するものである。また、図５（ｂ）は、制御端末器５のグループの割付を設定するものであり、個々の制御端末器（アドレス０−１，０−２，…）をグループ（Ｇ１−１）に設定している。
【００３０】
また、外部設定器３は、監視端末器４と制御端末器５を対応付けることができる。例えば、ある監視端末器によってオンオフ制御または調光制御される制御端末器のグループを割付けるなどして、点灯パターンの割付データ（制御データ）をパターンアドレスと共に設定可能である。
【００３１】
そして、主制御装置２は、伝送線６に接続された監視端末器４および制御端末器５を介して照明用ランプ１８を監視制御する。
【００３２】
伝送線６は、複極（±２４Ｖ）の時分割多重信号で示されたデータを送受信する伝送線であり、例えば国際規格ＣＣＩＴＴ　Ｖ．２４によって規格化されたＲＳ４８５回線である。
【００３３】
監視端末器４は、例えば、オンオフ操作に応じて出力信号を生成する信号出力機能を備えたスイッチや光センサの検出信号に応じて出力信号を生成する信号出力機能を備えたセンサ入力用端末器等であり、調光制御機能を有する監視端末器も包含される。制御端末器５は、調光制御機能を有する制御端末器も包含され、接続された照明用ランプ１２を点灯制御する。
【００３４】
次に、本発明の実施形態の作用について述べる。
【００３５】
外部設定器３は、主制御装置２に設けられた接続部１１（コネクタ１２）に着脱可能に接続することができる。したがって、この接続部１１から監視端末器４および制御端末器５のアドレスの設定や制御端末器５の点灯パターンの割付けおよびその点消灯時刻などの制御データの設定などを行うことができる。このとき、監視端末器４からの制御データによる照明用ランプ１８の照明制御や不揮発性メモリ９に記憶されている制御データによる照明制御等が行われて伝送線６の容量がフル状態であっても、外部設定器３によるアドレスの設定や各種データの設定は、伝送線６を介さずに行っているので、通常の照明制御に支障をきたすことが防止される。
【００３６】
また、外部設定器３は、主制御装置２の接続部１１に着脱可能であり、主制御装置２から分離されるので、外部設定器３を設置するスペースが必要でなく、主制御装置２の大型化が防止される。
【００３７】
【発明の効果】請求項１の発明によれば、外部設定器は、主制御装置に設けられた接続部に接続されるので、伝送線を使用しないでアドレスや各種データの設定を行え、監視端末器等による照明制御に支障をきたすことを防止することができる。
【図面の簡単な説明】
【図１】本発明の一実施形態を示す照明制御システムの構成のブロック図。
【図２】同じく、主制御装置の構成を示すブロック図。
【図３】同じく、主制御装置の概略正面図。
【図４】同じく、外部設定器の概略構成図。
【図５】同じく、外部設定器による割付データを示し、（ａ）は点灯制御の割付図、（ｂ）はグループの割付図。
【図６】特許文献４の照明制御システムの構成を示すブロック図。
【符号の説明】
１…照明制御システム、２…主制御装置、３…外部設定器、８…制御部、９…不揮発性メモリ、１１…接続部
【図１】
2004127629.tif 000003
【図２】
2004127629.tif 000004
【図３】
2004127629.tif 000005
【図４】
2004127629.tif 000006
【図５】
2004127629.tif 000007
【図６】
2004127629.tif 000008